(57)【要約】      （修正有）【課題】モータを内蔵した電動式解錠装置にあって、モータが故障したり、爪付きカムと施錠装置との相互間で連動不良を起こしたりしてロックを解除できなくなった場合に、無理にこじ開けて遊技機を台無しにするようなことなく、遊技機の内部を操作を可能とする。【解決手段】標準装備されている錠前と同型のハウジング１内には、そのハウジング１から突出した先端に爪付きカム４を取り付け可能とした回動軸３と、その回動軸３を回動操作するモータ５とが組み込まれている。モータ５のモータ軸５ａと回動軸３とは、着脱式のカップリング６により連結されており、ハウジング１における回動軸３突出側と反対面を塞いでいる着脱蓋８を外して解放面を形成すれば、モータ５をその解放面から抜き外し、回動軸３が手動操作可能となる。【選択図】図１
2006116019.tif 000002
【特許請求の範囲】
【請求項１】
ハウジング内に、そのハウジングから突出した先端に爪付きカムが取り付けられる回動軸と、その回動軸を回動操作するモータとが組み込まれ、そのモータのモータ軸と前記回動軸とを着脱式のカップリングで連結し、ハウジングにおける前記回動軸突出側と反対面を解放すれば、前記モータをその解放面から抜き外し可能とした遊技機用電動式解錠装置。
【請求項２】
モータは、電力供給用のリード線が取り外し可能となっている請求項１に記載した遊技機用電動式解錠装置。
【請求項３】
解放面とする部分が、破壊容易な構造となっている請求項１又は２に記載の遊技機用電動式解錠装置。
【請求項４】
解放面とする部分が、蓋体で閉塞した構造となっている請求項１又は２に記載の遊技機用電動式解錠装置。
【発明の詳細な説明】
【技術分野】
【０００１】
本発明は、ホールに設置されるパチンコ、スロットマシンなどの遊技機に必須の解錠装置、殊にモータ内蔵タイプの遊技機用電動式解錠装置に関する。
【背景技術】
【０００２】
遊技機には、ガラス窓や枠体をロックする施錠機構と、そのロックを外すためにキーを差し込んで回動操作する手動式の解錠装置とが標準装備されている。
施錠装置と解錠装置の基本的なメカニズムは確立されているが、機種やメーカー毎にその形状は微妙に異なっているし、採用されているキーの形式も複数種が存在する。
又同じ形式のキーであっても、他のホールで使用されているキーとの互換性をなくすべく、キー番号が合致しなければ操作できないようにセキュリティ対策も施されている。
そのため機種の異なる遊技機が設置されたホールにおいて、ホールの係員は複数のキーを携帯する羽目になってしまう。
そこでホールに設置する場合は、標準装備の解錠装置を、各ホール専用の解錠装置と交換してキーの統一を図っていた。
【０００３】
キーの統一を図ることにより、携帯するキーの数は減少するが、キーを手回ししなくてはならないので、操作性は依然として改善されない。
そこで、特許文献１や特許文献２に記載のように、モータによってロックを解除する電動式の解錠装置が提案されている。
特許文献１に記載の装置は、従来の手動式の解錠装置を無視して電動式専用に特化させているため、標準装備の装置とは基本的な構造が全く異なる。
そのため、標準装備されている装置は、その一部すら利用することができないので、特許文献１に記載の装置を採用するには、標準装備されている装置と総替えすることになってしまい、交換の手間や装置のコストを考えると無駄が多いといわざるを得ない。
特許文献２に記載の装置は、ロック用の係止爪をワイヤで引っ張るタイプであって、手動式の解錠装置でも解錠操作が可能であるため、電動式と手動式との使い分けをすることができるメリットはあるが、手動式の解錠装置をホールで活用させるためには、新たに別の装置を取り付けなければならないばかりか、解錠装置の交換もしなくてはならない。
ホールにて活用するために、標準装備されていた解錠装置を交換していたこれまでの実情を考慮すると、解錠装置にモータを組み込んだ内蔵タイプとすれば、交換の際、電動化も一緒に行えるので一石二鳥である。
【０００４】
【特許文献１】特開平５−２９３２３６号公報
【特許文献２】実開平８−３３６号公報
【発明の開示】
【発明が解決しようとする課題】
【０００５】
遊技機は、側面や裏側から内部が不正操作されないような工夫がされており、内部操作は、施錠装置のロックを外してガラス窓か枠体を開いた場合のみ可能となっている。
内蔵タイプの電動式解錠装置は、施錠装置と連動する爪付きカムを、モータで所定の方向へ所定の角度回動させることによりガラス窓や枠体のロックを解除する構造であるので、モータが故障したり、爪付きカムと施錠装置との相互間で連動不良を起こしたりしてロックを解除できなくなった場合、内部を操作可能とするには、遊技機自体を無理にこじ開ける以外に手段がなかった。
無理にこじ開ける場合、時間をかけて注意深く作業しても、遊技機を台無しにしてしまう可能性が高い。
【課題を解決するための手段】
【０００６】
本発明は、ロック解除が不能になっても、最小限のダメージにて遊技機の回復を可能としたモータ内蔵タイプの遊技機用電動式解錠装置（以下単に解錠装置という）であって、その構成は、ハウジング内に、そのハウジングから突出した先端に爪付きカムが取り付けられる回動軸と、その回動軸を回動操作するモータとが組み込まれ、そのモータのモータ軸と前記回動軸とを着脱式のカップリングで連結し、ハウジングにおける前記回動軸突出側と反対面を解放すれば、前記モータをその解放面から抜き外し可能としたことにある。
【０００７】
前記モータは、電力供給用のリード線を取り外し可能としたり、解放面とする部分を破壊容易な構造にしたり、蓋体で閉塞した構造にすることができる。
【発明の効果】
【０００８】
解錠装置は、例外なくハウジングにおける回動軸突出側と反対面が、遊技機の前面に露出するよう組み付けられるので、本発明の解錠装置は、万一、ロックが外れない状況に陥ってたら、遊技機から露出している部分のみを破壊するなり押し開くなどして解放し、モータを抜き出して回動軸を直接回動操作することにより、強制的にロックを解除できる。
【０００９】
電力供給用のリード線を取り外し可能にしておけば、モータの抜き外しがスムーズに行えるし、解放面となる部分を破壊容易な構造にしたり、蓋体で閉塞しておけば、解錠装置の破損を最小限に抑えることができる。
【発明を実施するための最良の形態】
【００１０】
本発明に係る解錠装置を図面に基づいて説明する。
図１は本発明に係る解錠装置を示したもので、この解錠装置は、ハウジング１の片端面には取り付け用のフランジ２が固着されており、そのフランジ２が固着された面から回動軸３が突出されている。
回動軸３は、突出先端部に爪付きカム４が取り付け可能となっており、その爪付きカム４は、標準装備されている手動式の解錠装置から取り外した爪付きカム４ａ．４ｂ．４ｃの中から、その台に装備されていた手動式の解錠装置に取り付けられていたものがそのまま利用される。
又、ハウジング１内には、手動式の解錠装置において錠前（シリンダキー）が組み込まれた筒状部分にモータ５が組み込まれている。
【００１１】
前記回動軸３は、ハウジング１内にて軸受け（図示せず）により支持されており、回動軸３の端面には、軸の中心を横断するようにキー６ａが設けられている。
又、モータ軸５ａには、先端面に前記キー６ａを嵌め込むためのキー溝６ｂが形成されており回動軸３とモータ５とは、前記キー６ａとキー溝６ｂとにって構成される着脱式のカップリング６によって連結されている。
【００１２】
７はモータ５に電源を供給するためのリード線であり、このリード線７は、フランジ２の側面からハウジング１内に導入され、先端にプラグ７ａが取り付けられている。
一方モータ５にはコネクタ５ｂが設けられていて、前記プラグ７ａをコネクタ５ｂに嵌め込むことによって、リード線７がモータ５に対して着脱可能に接続されるようになっている。
モータ５にはパルス制御式が採用され、常に基準位置から左右いずれの方向へどれだけの角度回動しているかを認識することができる。
【００１３】
ハウジング１の形状及び寸法は、標準装備されている手動式の解錠装置と互換性が保たれるよう設計されており、実施例の解錠装置は、モータの組み込まれている部分が円柱状に出っ張ってはいるが、出っ張り部分は遊技機から顔を出すように組み込まれるので、手動式解錠装置との交換に際しては何ら支障はない。
内蔵されているモータ５は、図２に示すように、リモコンから発せられた解錠信号に基づき、コントローラによって手動操作されるキーの回動に準じた動作が実行されるよう制御される。
【００１４】
即ち、リモコンの解錠ボタンが操作されると、コントローラはＳ１にてその解錠信号を受信し、その信号がガラス窓か枠体かのいずれのロック解除を要求しているかを判別し、Ｓ３又はＳ４にてモータを左右いずれかの方向に回動させる。
モータが、ロックを解除するに必要な角度分だけ回動したかを確認するＳ５では、例えば回動軸に取り付けたタイミングカムの形状を、リミットスイッチ、磁気センサ、光センサ等で物理的に検知した信号を利用したり、モータ軸に取り付けたエンコーダでカウントしたパルス数が好適利用される。
所定角度分だけ回動されたことが確認されたら、Ｓ６にてモータを一旦停止して、Ｓ７にて例えば１０秒間のタイマーを働かせ、その１０秒が経過したらＳ８でモータを逆転させて基準位置に復帰させる。
基準位置に復帰したか否かの確認も、前記回動角度の検知と同様の手段が利用され、Ｓ９にて基準位置に復帰したことが確認されたら、Ｓ１０でモータが停止される。
【００１５】
実施例の解錠装置は、ハウジング１における前記回動軸３が突出している面の反対側の面が、着脱蓋８を接着することによって密封されている。
よってこの解錠装置は、標準装備の解錠装置における鍵穴に相当する部分が、ハウジングの一部を円柱状に突出させた状態で組み込まれ、内部に組み込まれているモータ等の解錠装置一式は、外部から完全に保護されている。
【００１６】
例えばモータが故障するなどしてロックを外すことができない状態に陥った場合、これまでは内部機器を操作するために遊技機そのものを強引にこじ開けていたが、本発明の解錠装置を装備した遊技機であれば、着脱蓋８を強引に引き剥がすことによって、その面を解放し、コネクタ５ｂからプラグ７ａを引き抜くことによって、モータ５からリード線７を外し、モータ７を引っ張れば、カップリング６の部分にてモータ軸５ａと回動軸３とが分離し、モータ５のみを抜き外すことができる。
モータ５を抜き外せば、ハウジング１の奥にカップリング６のジョイント部分が見えるので、キー６ａをラジオペンチなどの工具で摘み、手動にて回動させることができる。
【００１７】
実施例は着脱蓋を接着することにより閉塞されているが、合成樹脂製の蓋にて閉塞したり、その部分を薄肉形成し、合成樹脂製に蓋や薄肉部分を破壊してモータを抜き外すようにもできる。
又、カップリングは、モータ軸を回動軸から分離させ、モータが抜き外し可能であれば、その構造は限定されないし、モータに接続されるリード線が、プラグとコネクタとにより着脱自在になっていない場合は、切断してもかまわない。
【００１８】
以上詳述したように、モータを抜き外すことによって回動軸を手動操作できるようになり、その際にハウジングの一部を破壊したとしても、遊技機の本体には何ら影響せず、新しい解錠装置と交換すれば遊技機を元の状態に戻すことができ、最悪でもハウジングの部分的な破壊といった極微少のダメージで済む。
【図面の簡単な説明】
【００１９】
【図１】（ａ）、（ｂ）本発明に係る解錠装置の説明図である。
【図２】解錠装置の制御例を示したフローチャートである。
【符号の説明】
【００２０】
１・・ハウジング、２・・フランジ、３・・回動軸、４（４ａ．４ｂ．４ｃ）・・、５・・モータ、５ａ・・モータ軸、５ｂ・・コネクタ、６・・カップリング、７・・リード線、７ａ・・プラグ、８・・着脱蓋。
【図１】
2006116019.tif 000003
【図２】
2006116019.tif 000004